(57)【要約】【課題】バルブを不具合なく良好に装着することが可能な室内照明灯を提供すること。【解決手段】圧接カバー４０は、圧接カバー４０がハウジング１０に装着された際に、ハウジング１０の一部との間に画成される挿入空間Ｓにバネ端子部３６を位置付ける電極保護部４２を有している。電極保護部４２は、バルブ５０が挿入空間Ｓに挿入されてバネ端子部３６に接続される際に、バルブ５０が正規な挿入角度よりも傾いて挿入され、これによりバネ端子部３６が圧接カバー４０側に過大変位しようとした場合に、バネ端子部３６に当接してバネ端子部３６の過大変位を防止する過大変位防止部４６を有している。【選択図】図１１
2014159199.tif 000002
【特許請求の範囲】
【請求項１】
電球部と、該電球部に連設された板状のベース部と、を有するバルブと、
電線を接続するための電線接続部を有するハウジングと、
前記電線接続部に配される端子部と、互いに接近する方向及び離反する方向に弾性変形して前記バルブの前記ベース部を挟持し、前記バルブに電気的に接続する一対のバネ端子部とを有し、前記ハウジングに装着されるバスバーと、
前記バスバーが前記ハウジングに装着されて前記端子部に電線が接続された後で、且つ前記バネ端子部に前記バルブが接続される前に、前記端子部を覆うように前記ハウジングに装着されるカバーと、
を備える室内照明灯であって、
前記カバーは、該カバーが前記ハウジングに装着された際に、前記ハウジングの一部との間に画成されるバルブ挿入空間に前記バネ端子部を位置付ける電極保護部を更に有し、
該電極保護部は、前記バルブが前記ベース部側から前記バルブ挿入空間に挿入されて前記バネ端子部に接続される際に、該バルブが正規な挿入角度よりも傾いて挿入され、これにより前記バネ端子部が前記カバー側に過大変位しようとした場合に、前記バネ端子部に当接して該バネ端子部の過大変位を防止する過大変位防止部を有する、
ことを特徴とする室内照明灯。
【請求項２】
前記電極保護部は、前記バルブの挿入時に該バルブに摺接して該バルブの斜め挿入を防止するガイド部を更に有する、
ことを特徴とする請求項１に記載の室内照明灯。
【請求項３】
前記電極保護部は、前記ハウジングに形成された係止部に係止されるロック部を更に有する、
ことを特徴とする請求項１及び請求項２のいずれかに記載の室内照明灯。
【請求項４】
前記バスバーは、該バスバーの前記ハウジングに対する装着方向に延びる位置決め部を有し、
前記ハウジング及び前記電極保護部には、前記位置決め部が嵌合する嵌合部がそれぞれ形成されている、
ことを特徴とする請求項１〜請求項３のいずれか１項に記載の室内照明灯。
【請求項５】
前記電極保護部により前記バネ端子部の前記カバー側の全面が覆われている、
ことを特徴とする請求項１〜請求項４のいずれか１項に記載の室内照明灯。
【発明の詳細な説明】
【技術分野】
【０００１】
本発明は、例えば自動車等の車両の車内に取り付けられる室内照明灯に関する。
【背景技術】
【０００２】
室内照明灯として、特許文献１には、車両の内装材に設けられた開口に取付可能なハウジングにレンズが固定された意匠部と、前記意匠部に支持されることにより前記内装材の裏面側に配置され、かつ、光源を備える機能部とを備え、前記光源に電力を入断するスイッチ部が前記機能部の機能部本体に設けられている室内照明灯が開示されている（例えば、特許文献１の図４参照。）。
【先行技術文献】
【特許文献】
【０００３】
【特許文献１】特開２００５−２６３０７８号公報
【発明の概要】
【発明が解決しようとする課題】
【０００４】
従来の室内照明灯では、バルブの挿し込み時に当該バルブが正規な挿入角度よりも傾いていると、バルブと接続するバスバーの、バルブとの接点部分（バネ端子部）が過大に変形してしまう虞があった。当該接続部分が過大に変形すると、例えば、接点部分が塑性変形することによって、バルブとバスバーとの良好な導通接触状態が損なわれてしまう虞がある。
【０００５】
本発明は、上述した事情に鑑みてなされたものであり、その目的は、バネ端子部における過大変位の発生を抑制可能な室内照明灯を提供することにある。
【課題を解決するための手段】
【０００６】
前述した目的を達成するために、本発明に係る室内照明灯は、下記の点を特徴としている。
（１）  電球部と、該電球部に連設された板状のベース部と、を有するバルブと、
電線を接続するための電線接続部を有するハウジングと、
前記電線接続部に配される端子部と、互いに接近する方向及び離反する方向に弾性変形して前記バルブの前記ベース部を挟持し、前記バルブに電気的に接続する一対のバネ端子部とを有し、前記ハウジングに装着されるバスバーと、
前記バスバーが前記ハウジングに装着されて前記端子部に電線が接続された後で、且つ前記バネ端子部に前記バルブが接続される前に、前記端子部を覆うように前記ハウジングに装着されるカバーと、
を備える室内照明灯であって、
前記カバーは、該カバーが前記ハウジングに装着された際に、前記ハウジングの一部との間に画成されるバルブ挿入空間に前記バネ端子部を位置付ける電極保護部を更に有し、
該電極保護部は、前記バルブが前記ベース部側から前記バルブ挿入空間に挿入されて前記バネ端子部に接続される際に、該バルブが正規な挿入角度よりも傾いて挿入され、これにより前記バネ端子部が前記カバー側に過大変位しようとした場合に、前記バネ端子部に当接して該バネ端子の過大変位を防止する過大変位防止部を有する、
こと。
（２）  上記（１）の構成の室内照明灯であって、
前記電極保護部は、前記バルブの挿入時に該バルブに摺接して該バルブの斜め挿入を防止するガイド部を更に有する、
こと。
（３）  上記（１）及び（２）のいずれかの構成の室内照明灯であって、
前記電極保護部は、前記ハウジングに形成された係止部に係止されるロック部を更に有する、
こと。
（４）  上記（１）〜（３）のいずれか１つの構成の室内照明灯であって、
前記バスバーは、該バスバーの前記ハウジングに対する装着方向に延びる位置決め部を有し、
前記ハウジング及び前記電極保護部には、前記位置決め部が嵌合する嵌合部がそれぞれ形成されている、
こと。
（５）  上記（１）〜（４）のいずれか１つの構成の室内照明灯であって、
前記電極保護部により前記バネ端子部の前記カバー側の全面が覆われている、
こと。
【０００７】
上記（１）の構成の室内照明灯では、バルブがバルブ挿入空間に挿し込まれる際に、バルブが正規な挿入角度よりも傾いて挿入され、当該傾いたバルブによってバネ端子部がカバー側に押圧されて過大変位しようとした場合に、バネ端子部が電極保護部の過大変位防止部に当接することによって当該過大変位が防止される。したがって、正規な挿入角度よりも傾いた状態でバルブが挿し込まれること（斜め挿入）で生じるバネ端子部の過大変形を抑制することができる。これにより、バルブのベース部とバスバーのバネ端子部との良好な導通接触状態を維持することができ、バルブとバスバーとの接続の信頼性を向上させることができる。
上記（２）の構成の室内照明灯では、バルブがバルブ挿入空間に挿し込まれる際に、バルブが電極保護部のガイド部に摺接されることにより案内され、これによりバルブの斜め挿入が防止される。このため、正規な挿入角度よりも傾いた状態でバルブが挿し込まれる事象の発生を抑制でき、バネ端子部の過大変形を抑制することができる。
上記（３）の構成の室内照明灯では、カバーをハウジングに装着すると、電極保護部のロック部がハウジングの係止部を係止して、カバーのハウジングへの装着状態が維持される。これにより、カバーの保持力が向上する。このため、例えば電線が引っ張られたとしても、カバーが外れるような不具合の発生を抑制することができ、バスバーの端子部と電線との接続の信頼性を向上させることができる。
上記（４）の構成の室内照明灯では、バスバーの位置決め部がハウジング及び電極保護部の嵌合部に嵌合されることで、バスバーの移動が規制される。これにより、バスバーをハウジングの所定位置に良好に位置決めすることができ、組み付け精度が向上する。この結果、バルブとバスバーとの接続の信頼性を向上させることができる。
上記（５）の構成の室内照明灯では、電極保護部によってバスバーにおけるバネ端子部のカバー側の全面が覆われて露出が防止されているので、バスバーのバネ端子部の絶縁性能を向上させることができる。
【発明の効果】
【０００８】
本発明によれば、バネ端子部における過大変位の発生を抑制可能な室内照明灯を提供できる。
【０００９】
以上、本発明について簡潔に説明した。さらに、以下に説明される発明を実施するための形態を添付の図面を参照して通読することにより、本発明の詳細は更に明確化されるであろう。
【図面の簡単な説明】
【００１０】
【図１】図１は、本実施形態に係る室内照明灯の斜視図である。
【図２】図２は、本実施形態に係る室内照明灯の裏面側から視た斜視図である。
【図３】図３は、本実施形態に係る室内照明灯の分解斜視図である。
【図４】図４は、バスバー及び圧接カバーを取り外した状態の室内照明灯の斜視図である。
【図５】図５は、圧接カバー装着前のハウジングにおけるバルブ装着部側の拡大斜視図である。
【図６】図６は、圧接カバーを取り外した状態の室内照明灯の斜視図である。
【図７】図７は、位置決め板部の保持構造を説明する位置決め板部における前後方向に沿う断面図である。
【図８】図８は、位置決め板部の保持構造を説明する位置決め板部における左右方向に沿う断面図である。
【図９】図９は、圧接カバーの正面図である。
【図１０】図１０は、圧接カバー装着後のハウジングにおけるバルブ装着部側の斜視図である。
【図１１】図１１は、バルブが装着される室内照明灯のバルブ装着部側の断面図である。
【図１２】図１２は、スイッチの構造を示すスイッチの分解斜視図である。
【図１３】図１３は、室内照明灯の組み立て工程を説明する図であって、図１３（ａ）〜図１３（ｄ）は、それぞれ組み立て途中における室内照明灯の斜視図である。
【発明を実施するための形態】
【００１１】
以下、本発明に係る実施の形態の例を、図面を参照して説明する。
【００１２】
図１は、本実施形態に係る室内照明灯の斜視図、図２は、本実施形態に係る室内照明灯の裏面側から視た斜視図、図３は、本実施形態に係る室内照明灯の分解斜視図、図４は、バスバー及び圧接カバーを取り外した状態の室内照明灯の斜視図、図５は、圧接カバー装着前のハウジングにおけるバルブ装着部側の斜視図、図６は、圧接カバーを取り外した状態の室内照明灯の斜視図、図７は、位置決め板部の保持構造を説明する位置決め板部における前後方向に沿う断面図、図８は、位置決め板部の保持構造を説明する位置決め板部における左右方向に沿う断面図、図９は、圧接カバーの正面図、図１０は、圧接カバー装着後のハウジングにおけるバルブ装着部側の斜視図、図１１は、バルブが装着される室内照明灯のバルブ装着部側の断面図、図１２は、スイッチの構造を示すスイッチの分解斜視図である。
【００１３】
図１から図３に示すように、本実施形態に係る室内照明灯１は、絶縁樹脂製のハウジング１０と、点灯及び消灯を行うためのスイッチ２０と、回路を構成する導電金属製のバスバー３０と、絶縁樹脂製の圧接カバー４０（カバー）と、光源であるバルブ５０と、スイッチ２０を保護するための絶縁樹脂製のスイッチカバー６０と、を備えている。
【００１４】
尚、以下、本明細書中では、図１中に矢印で示すように前側、後側、上側、下側、左側、右側を規定して説明するが、これらは使用時における方向を限定するものではない。例えば、本実施形態に係る室内照明灯１は、車両天井部の内装材（図示せず。）に後述するハウジング１０の底板１５が対向するように取り付けられた場合、図１中の矢印における上向きが鉛直下向きとなる。即ち、本実施形態に係る室内照明灯１は、図２に示す姿勢で車両天井部の内装材に取り付けられて用いられる。
【００１５】
図４に示すように、ハウジング１０は、略平坦な底板１５を有し、その上側に部品を装備できるように形成されている。このハウジング１０は、前端側に、前方からバルブ５０を装着するためのバルブ装着部１１を有し、後端側に、スイッチ２０を装着するためのスイッチ装着部１３を有し、バルブ装着部１１とスイッチ装着部１３との間に、バスバー３０が配置されると共に電線７０が配索される溝状の電線接続部１２を有している。
【００１６】
ハウジング１０には、前後方向におけるバルブ装着部１１と電線接続部１２との間に、嵌合溝（嵌合部）１６が形成されている。また、ハウジング１０には、嵌合溝１６の左右両外側に、係止孔１７を有する一対の係止板部（係止部）１８がそれぞれ立設されている。
【００１７】
また、ハウジング１０には、電線接続部１２における四隅に、係止突起１９がそれぞれ形成されている。
【００１８】
バスバー３０は、ハウジング１０の電線接続部１２に上方から装着されるもので、前端側に、バルブ装着部１１に装着されるバルブ５０と電気的に接続する電極部３１を有すると共に、後端側に、スイッチ装着部１３に装着されるスイッチ２０と電気的に接続するスイッチ端子部３３を有している。そして、バスバー３０は、電極部３１とスイッチ端子部３３との前後方向における中間部に、電線７０を圧接により接続するための圧接端子部３２（端子部）を有している。
【００１９】
バスバー３０の電極部３１には、位置決め板部（位置決め部）３４が設けられている。この位置決め板部３４は、前端部が上下に張り出した板状に形成されている。即ち、位置決め板部３４は、上下方向（バスバー３０のハウジング１０に対する装着方向）に延びる部分を有しており、下方側の部分３４ａと、上方側の部分３４ｂとを有している。図５に示すように、位置決め板部３４の下方側の部分３４ａは、ハウジング１０の嵌合溝１６に圧入等によって挿し込まれる。これにより、バスバー３０は、ハウジング１０に位置決めされた状態に保持される。しかも、位置決め板部３４が嵌合溝１６の前後両端の壁部に突き当たることで、ハウジング１０の前後方向（図４における矢印Ａ方向）への移動が規制され、さらに、位置決め板部３４の表裏面が嵌合溝１６の左右両側の壁面に当接することで、ハウジング１０の左右方向（図４における矢印Ｂ方向）への移動が規制される。また、バスバー３０の電極部３１は、２つの接点部３５を有している。これらの接点部３５は、互いに近接する方向へ突出するように湾曲された部分（図９参照。）を有する上下一対のバネ端子部３６から構成されている。
【００２０】
バスバー３０のスイッチ端子部３３には、複数の接点３７が形成されており、これらの接点３７がハウジング１０のスイッチ装着部１３に配置される。
【００２１】
また、バスバー３０の圧接端子部３２には、複数の圧接刃３８が設けられている。これらの圧接刃３８は、電線７０が押し付けられることにより、電線７０の被覆から内部の導体を露出させ、その導体と電気的に接続する。これにより、電線７０からバスバー３０へ電力が供給可能とされる。
【００２２】
図６に示すように、圧接カバー４０は、バスバー３０の圧接端子部３２を保護するためのものであり、電線７０の圧接後に、電線接続部１２（圧接端子部３２）を覆うように、ハウジング１０の上方からハウジング１０に装着固定される。圧接カバー４０は、矩形状に形成されたカバー本体部４１と、前側（カバー本体部４１におけるハウジング１０のバルブ装着部１１側）に突出する電極保護部４２とを有している。カバー本体部４１には、その前後両端における左右両側に、ハウジング１０の係止突起１９を係止するための係止爪４３が形成されている。
【００２３】
図４に示すように、電極保護部４２には、前側に嵌合溝（嵌合部）４４が形成されている。この嵌合溝４４には、圧接カバー４０をハウジング１０へ装着することで、バスバー３０の位置決め板部３４の上方側の部分３４ｂが挿し込まれる。これにより、バスバー３０は、圧接カバー４０の嵌合溝４４で保持される。しかも、位置決め板部３４が嵌合溝４４の前後両端の壁部に突き当たることで、ハウジング１０の前後方向（図４における矢印Ａ方向）への移動が規制され、さらに、位置決め板部３４の表裏面が嵌合溝４４の左右両側の壁面に当接することで、ハウジング１０の左右方向（図４における矢印Ｂ方向）への移動が規制される。
【００２４】
このように、圧接カバー４０をハウジング１０へ装着すると、図７及び図８に示すように、バスバー３０の位置決め板部３４は、その下方側の部分３４ａ及び上方側の部分３４ｂがハウジング１０及び電極保護部４２の嵌合溝１６，４４によって保持され、ハウジング１０の前後方向（矢印Ａ方向）及び左右方向（矢印Ｂ方向）への移動が規制される。
【００２５】
図９に示すように、電極保護部４２（後述するガイド部４８）の左右両側部には、ロック爪（ロック部）４５が形成されている。図１０に示すように、ロック爪４５は、圧接カバー４０をハウジング１０へ装着することで、ハウジング１０の係止板部１８（係止部）の係止孔１７に入り込んで係止板部１８を係止する。これにより、電極保護部４２がハウジング１０の電線接続部１２における前側で保持される。そして、この圧接カバー４０がハウジング１０に装着されることで、カバー本体部４１によって、電線７０が配設されたバスバー３０の圧接端子部３２の上方が覆われて保護される。
【００２６】
また、圧接カバー４０がハウジング１０に装着されると、図１１に示すように、電極保護部４２がバスバー３０の電極部３１の上部を覆うように配置され、電極部３１が保護される。これにより、バスバー３０の電極部３１は、その接点部３５の上下が、ハウジング１０の底板１５と圧接カバー４０の電極保護部４２とで囲われた状態となり、この接点部３５のバネ端子部３６が囲われた空間部分が挿入空間Ｓ（バルブ挿入空間）とされる。即ち、電極保護部４２は、圧接カバー４０がハウジング１０に装着された際に、ハウジング１０の底板１５との間に画成される挿入空間Ｓにバネ端子部３６を位置付ける。
【００２７】
電極保護部４２は、図１１に示すように、基端側に、バネ端子部３６の上方を覆う過大変位防止部４６を有し、先端側に、当該過大変位防止部４６に連設されたガイド部４８を有している。これら過大変位防止部４６及びガイド部４８の機能については、後述する。ガイド部４８の内面には、図１１に示すようにＲ字状に湾曲した湾曲部４８ａが形成されている。
【００２８】
バルブ５０は、いわゆるウェッジベース型の光源であり、電球部５１と、電球部５１に連設された板状のベース部５２と、ベース部５２の表面に設けられて電球部５１と電気的に接続するバルブ接点部５３とを有している。このバルブ５０は、バルブ接点部５３に給電されることで、電球部５１が発光する。
【００２９】
このバルブ５０は、ベース部５２を挿入空間Ｓへ向けて前方側から挿し込むことで、ハウジング１０のバルブ装着部１１に装着される。これにより、ベース部５２が接点部３５のバネ端子部３６で挟持されてバルブ接点部５３にバネ端子部３６が導通接触される。即ち、一対のバネ端子部３６は、互いに接近する方向及び離反する方向に（上下方向において）弾性変形してバルブ５０のベース部５２を挟持し、バルブ５０に電気的に接続する。
【００３０】
図１２に示すように、スイッチ２０は、絶縁樹脂製のスライダー２１と、このスライダー２１に形成された貫通孔２２に収容されるボール２３と、このボール２３の上部に配置されるスプリング２４と、スライダー２１に対して上方から組み付けられて装着される導電金属製のコンタクト２５とを備えている。スイッチ２０は、ハウジング１０におけるスイッチ装着部１３に形成されたスライド溝１３ａに収容され、ハウジング１０の左右方向（図４における矢印Ｂ方向）において移動可能とされる。スライダー２１には、上方へ突出するつまみ部２６が形成されており、使用者は、このつまみ部２６を把持し、ハウジング１０に対してスイッチ２０を左右方向へ移動させることができる。
【００３１】
このスイッチ２０の上方には、バスバー３０のスイッチ端子部３３に設けられた複数の接点３７が配列されており、これら接点３７の上方側から絶縁樹脂製のスイッチカバー６０がハウジング１０のスイッチ装着部１３を覆うように組み付けられる。このとき、スイッチカバー６０は、スプリング２４を縮めた状態で組み付けられる。これにより、スイッチカバー６０が、コンタクト２５とスプリング２４とボール２３とを、スイッチ装着部１３との間に挟持した状態となる。
【００３２】
このようなスイッチ２０では、つまみ部２６を把持してハウジング１０に対して左右方向へ移動させることで、コンタクト２５によって、左右のいずれかの接点３７と中央の接点３７とが導通される。図１２に示したスイッチ２０によれば、コンタクト２５とハウジング１０との間にスプリング２４による弾性反発力が作用するが、これらの間にボール２３が介されているため、スイッチ２０を左右に移動させる際にスライダー２１に作用する摩擦力を低減することができる。このため、使用者は小さい力で円滑にスイッチ２０を左右方向へ移動させることができる。
【００３３】
次に、上記の室内照明灯１を組み立てる場合について説明する。図１３は、室内照明灯の組み立て工程を説明する図である。
【００３４】
図１３（ａ）に示すように、ハウジング１０のスイッチ装着部１３に設けられたスライド溝１３ａに、スイッチ２０を収容する。
【００３５】
図１３（ｂ）に示すように、ハウジング１０の電線接続部１２に、その上方側からバスバー３０を装着すると共に、スイッチ装着部１３に、スイッチカバー６０を装着してバスバー３０の接点３７をスイッチカバー６０で覆う。
【００３６】
このようにバスバー３０をハウジング１０の電線接続部１２に装着すると、バスバー３０の位置決め板部３４の下方側の部分３４ａがハウジング１０の嵌合溝１６に挿し込まれる。これにより、バスバー３０が位置決めされるとともに、ハウジング１０に対して前後左右方向への移動が規制された状態に保持される。
【００３７】
図１３（ｃ）に示すように、ハウジング１０の電線接続部１２に装着されたバスバー３０の圧接端子部３２上に電線７０を配置させると共に、ハウジング１０に、その上方側から圧接カバー４０を組み付ける。
【００３８】
このように圧接カバー４０をハウジング１０に組み付けると、圧接カバー４０のカバー本体部４１によって電線７０がバスバー３０の圧接端子部３２に押し付けられる。これにより、電線７０が圧接刃３８に押し付けられて電線７０の導体が被覆から露出され、この電線７０の導体が圧接刃３８と接触する。これにより、所定の電線７０と所定のバスバー３０とが導通され、電線７０からの電力供給が可能とされる。また、圧接カバー４０のカバー本体部４１によってバスバー３０及び電線７０がハウジング１０に保持される。この状態で、カバー本体部４１は、その係止爪４３がハウジング１０の係止突起１９を係止する。これにより、カバー本体部４１がハウジング１０における電線接続部１２の上方を覆った状態に保持される。
【００３９】
圧接カバー４０をハウジング１０に組み付けると、圧接カバー４０の電極保護部４２がハウジング１０におけるバルブ装着部１１の上部に配置される。これにより、ハウジング１０のバルブ装着部１１には、ハウジング１０の底板１５と電極保護部４２とで囲われた挿入空間Ｓが形成され、バスバー３０の接点部３５の上方及び下方が覆われる。
【００４０】
また、電極保護部４２の嵌合溝４４に、バスバー３０の位置決め板部３４の上方側の部分３４ｂが挿し込まれる。これにより、バスバー３０が位置決めされるとともに、ハウジング１０に対して前後左右方向への移動が規制された状態に保持される。
【００４１】
また、電極保護部４２のロック爪４５がハウジング１０の係止板部１８の係止孔１７に入り込んで係止板部１８を係止する。これにより、電極保護部４２がハウジング１０の電線接続部１２におけるバルブ装着部１１側に確実に保持される。
【００４２】
図１３（ｄ）に示すように、ハウジング１０の底板１５と圧接カバー４０の電極保護部４２とで囲われた挿入空間Ｓにベース部５２を挿し込むことで、バルブ５０をバルブ装着部１１に装着させる。このように、バルブ５０をバルブ装着部１１に装着させると、バルブ５０のベース部５２のバルブ接点部５３に、バスバー３０のバネ端子部３６が導通接触される。これにより、電線７０からバスバー３０を介してバルブ５０へ給電されることで、バルブ５０の電球部５１が発光することとなる。
【００４３】
ところで、バルブ５０のベース部５２を挿入空間Ｓへ挿し込む際に、バルブ５０が挿入空間Ｓへの正規な挿入角度よりも上下方向（図１１における矢印Ｃ方向）に傾いた状態で挿入されることがある。即ち、バルブ５０の斜め挿入が発生する場合がある。このように、バルブ５０がベース部５２側から挿入空間Ｓに挿入されてバネ端子部３６に接続される際に、バルブ５０が正規な挿入角度よりも傾いていると、ベース部５２等がバネ端子部３６に当接して当該バネ端子部３６を上方側（圧接カバー４０側）に過大変位させてしまう虞がある。バネ端子部３６が過大変位すると、バネ端子部３６が塑性変形することによって、バルブ５０とバスバー３０との良好な導通接触状態が損なわれてしまう虞がある。
【００４４】
これに対して、本実施形態では、圧接カバー４０が電極保護部４２を有し、当該電極保護部４２が基端側に過大変位防止部４６を有している。このため、バルブ５０がベース部５２側から挿入空間Ｓに挿入されてバネ端子部３６に接続される際に、バルブ５０が正規な挿入角度よりも所定の角度だけ傾いており、これによりベース部５２等がバネ端子部３６に当接して当該バネ端子部３６を上方側に過大変位させようとした場合には、過大変位防止部４６が過大変位しようとしたバネ端子部３６に当接して当該過大変位を防止する。即ち、本実施形態では、過大変位防止部４６によってバネ端子部３６の過大変位領域への変位が規制されている。したがって、バルブ装着部１１へバルブ５０を装着させる際におけるバネ端子部３６の上方側への過大変位が防止されている。このため、バルブ５０のベース部５２のバルブ接点部５３と、バスバー３０のバネ端子部３６との良好な導通接触状態を維持することができ、バルブ５０とバスバー３０との接続の信頼性を向上させることができる。
尚、バネ端子部３６の下方側への過大変位は、ハウジング１０の底板１５によって防止されている。
【００４５】
また、本実施形態のハウジング１０は、バルブ装着部１１の上方が開放されているため、バルブ５０は、電球部５１がベース部５２に対して上方に傾いた状態で挿入空間Ｓへ挿し込まれ易い。このように電球部５１がベース部５２に対して上方に傾いた状態でバルブ５０が挿入空間Ｓへ挿し込まれた場合には、バネ端子部３６の上方側への過大変位が発生し易い。
これに対して、本実施形態では、バネ端子部３６の上方側に過大変位防止部４６が配置されているために、正規な挿入角度よりも所定の角度だけ電球部５１がベース部５２に対して上方側に傾いた状態でバルブ５０が挿入空間Ｓに挿入され、これによりバネ端子部３６が上方側に過大変位しようとした場合に、過大変位防止部４６がバネ端子部３６に当接して当該過大変位が防止される。
【００４６】
また、電極保護部４２は、過大変位防止部４６に連設された、湾曲部４８ａが形成されたガイド部４８を更に有している。このため、バルブ５０が正規な角度よりも傾いて挿入空間Ｓに挿入されようとした際に、ベース部５２の先端がガイド部４８（特に、湾曲部４８ａ。）に摺接されることにより案内され、これによりバルブ５０の挿入角度が正規なものとされる。この結果、バルブ５０の斜め挿入が防止される。このため、正規な挿入角度よりも傾いた状態でバルブ５０が挿入空間Ｓに挿し込まれる事象の発生を抑制でき、バネ端子部３６の過大変形を抑制することができる。
【００４７】
以上説明したように、本実施形態に係る室内照明灯１によれば、バネ端子部３６における過大変位の発生を抑制できる。
【００４８】
以下では、実施形態に係る室内照明灯１について纏める。
【００４９】
（１）本実施形態に係る室内照明灯１は、電球部５１と、電球部５１に連設された板状のベース部５２と、を有するバルブ５０を備えている。また、室内照明灯１は、電線７０を接続するための電線接続部１２を有するハウジング１０を更に備えている。また、室内照明灯１は、電線接続部１２に配される圧接端子部３２（端子部）と、互いに接近する方向及び離反する方向（上下方向）に弾性変形してバルブ５０のベース部５２を挟持し、バルブ５０に電気的に接続する一対のバネ端子部３６とを有し、ハウジング１０に装着されるバスバー３０を更に備えている。また、室内照明灯１は、バスバー３０がハウジング１０に装着されて圧接端子部３２に電線７０が圧接接続された後で、且つバネ端子部３６にバルブ５０が接続される前に、圧接端子部３２を覆うようにハウジング１０に装着される圧接カバー４０を更に備えている。圧接カバー４０は、圧接カバー４０がハウジング１０に装着された際に、ハウジング１０の一部との間に画成される挿入空間Ｓ（バルブ挿入空間）にバネ端子部３６を位置付ける電極保護部４２を更に有している。そして、電極保護部４２は、バルブ５０がベース部５２側から挿入空間Ｓに挿入されてバネ端子部３６に接続される際に、バルブ５０が正規な挿入角度よりも傾いて挿入され（斜め挿入され）、これによりバネ端子部３６が圧接カバー４０側に過大変位しようとした場合に、バネ端子部３６に当接してバネ端子部３６の過大変位を防止する過大変位防止部４６を有している。
【００５０】
（２）また、本実施形態に係る室内照明灯１では、電極保護部４２は、バルブ５０の挿入時にバルブ５０に摺接してバルブ５０の斜め挿入を防止するガイド部４８を更に有している。
【００５１】
（３）また、本実施形態に係る室内照明灯１では、電極保護部４２は、ハウジング１０に形成された係止板部１８（係止部）に係止されるロック爪４５（ロック部）を更に有している。
このため、圧接カバー４０をハウジング１０に装着すると、過大変位防止部４６のロック爪４５がハウジング１０の係止板部１８を係止してハウジング１０への装着状態が維持される。これにより、圧接カバー４０の保持力が向上する。このため、例えば電線７０が引っ張られたとしても、圧接カバー４０が外れるような不具合を抑制することができ、バスバー３０の圧接端子部３２と電線７０との接続信頼性を向上させることができる。
【００５２】
（４）また、本実施形態に係る室内照明灯１では、バスバー３０は、バスバー３０のハウジング１０に対する装着方向（上下方向）に延びる位置決め板部３４（位置決め部）を有し、ハウジング１０及び電極保護部４２には、位置決め部３４が嵌合する嵌合溝１６，４４（嵌合部）がそれぞれ形成されている。
このため、バスバー３０の位置決め板部３４の上下部分（３４ａ，３４ｂ）がハウジング１０及び電極保護部４２の嵌合溝１６，４４に嵌合されることで、位置決め板部３４の前後左右方向への移動が規制される。これにより、バスバー３０をハウジング１０の所定位置に良好に位置決めすることができ、組み付け精度が向上する。この結果、バルブ５０とバスバー３０との接続の信頼性を向上させることができる。
【００５３】
（５）また、本実施形態に係る室内照明灯１では、電極保護部４２によりバネ端子部３６の圧接カバー４０側（上方側）の全面が覆われている。
このように、電極保護部４２によってバスバー３０におけるバネ端子部３６の上方が覆われて露出が防止されているので、バルブ５０のベース部５２とバスバー３０のバネ端子部３６との接続箇所の絶縁性能を向上させることができる。
【００５４】
尚、本発明の技術的範囲は、上述した実施形態に限定されるものではない。上述した実施形態は、本発明の技術的範囲内で種々の変形や改良等を伴うことができる。
【００５５】
例えば、本実施形態では、電極保護部４２のうちのガイド部４８に、ロック爪４５（ロック部）が形成されている構成としたが、電極保護部４２のうちの過大変位防止部４６に形成されている構成としても構わない。但し、ガイド部４８にロック爪４５を形成した方が、他の圧接カバー４０のハウジング１０に対する係止機構である、係止爪４３と係止突起１９との係止部分からの距離を長くすることができ、圧接カバー４０をハウジング１０に対して確実に装着することができる。特に、電極保護部４２に上向きの力が作用した場合における保持力を向上することができる。
【００５６】
また、本実施形態では、バスバー３０が、電線７０と接続するための端子部として圧接端子部３２を備え、バスバー３０と電線７０とが圧接接続される構成としたが、タブ端子を用いた接続やコネクタ接続等の他の接続方法によりバスバー３０と電線７０とが接続される構成としても構わない。
【符号の説明】
【００５７】
１：室内照明灯
１０：ハウジング
１２：電線接続部
１６，４４：嵌合溝（嵌合部）
１８：係止板部（係止部）
３０：バスバー
３２：圧接端子部（端子部）
３４：位置決め板部（位置決め部）
３６：バネ端子部
４０：圧接カバー（カバー）
４２：電極保護部
４５：ロック爪（ロック部）
４６：過大変位防止部
４８：ガイド部
５０：バルブ
５１：電球部
５２：ベース部
Ｓ：挿入空間（バルブ挿入空間）
【図１】
2014159199.tif 000003
【図２】
2014159199.tif 000004
【図３】
2014159199.tif 000005
【図４】
2014159199.tif 000006
【図５】
2014159199.tif 000007
【図６】
2014159199.tif 000008
【図７】
2014159199.tif 000009
【図８】
2014159199.tif 000010
【図９】
2014159199.tif 000011
【図１０】
2014159199.tif 000012
【図１１】
2014159199.tif 000013
【図１２】
2014159199.tif 000014
【図１３】
2014159199.tif 000015